(57)【要約】【課題】  基板に対する垂線の長さが操作部によって異なるシーソースイッチにおいて、操作部を押したときの操作感を同等にする。【解決手段】  第１のスイッチ３および第２のスイッチ４が突設された基板１と、第１の操作部８および第２の操作部９と、第１の回転軸１１および第２の回転軸１２とを有するノブ２とを備えており、ノブ２は、操作者が第１の操作部８を押圧した場合は、第１の回転軸１１を中心に回動して第１のスイッチ３を押圧し、操作者が第２の操作部９を押圧した場合は、第２の回転軸１２を中心に回動して第２のスイッチ４を押圧するようになっており、基板１に対する垂線の長さが、第１の操作部８と第２の操作部９とで異なるシーソースイッチであって、第１の回転軸１１および第２の回転軸１２を、第１の回転軸１１と第１の操作部８との距離と、第２の回転軸１２と第２の操作部９との距離とが等しくなるような部位にそれぞれ設ける。【選択図】        図１
2006252987.tif 000002
【特許請求の範囲】
【請求項１】
押圧されることにより電気信号を発信させる第１のスイッチ（３）および第２のスイッチ（４）が突設された基板（１）と、
操作者によって押圧される第１の操作部（８）および第２の操作部（９）と、第１の回転軸（１１）および第２の回転軸（１２）とを有するノブ（２）とを備えており、
前記ノブ（２）は、操作者が前記第１の操作部（８）を押圧した場合は、前記第１の回転軸（１１）を中心に回動して前記第１のスイッチ（３）を押圧し、操作者が前記第２の操作部（９）を押圧した場合は、前記第２の回転軸（１２）を中心に回動して前記第２のスイッチ（４）を押圧するようになっており、
前記基板（１）に対する垂線の長さが、前記第１の操作部（８）と前記第２の操作部（９）とで異なるシーソースイッチであって、
前記第１の回転軸（１１）および前記第２の回転軸（１２）は、前記第１の回転軸（１１）と前記第１の操作部（８）との距離と、前記第２の回転軸（１２）と前記第２の操作部（９）との距離とが等しくなるような部位にそれぞれ設けられていることを特徴とするシーソースイッチ。
【発明の詳細な説明】
【技術分野】
【０００１】
本発明は、シーソースイッチに関し、特に、車両用空調装置の操作パネル等に用いられるシーソースイッチに関する。
【背景技術】
【０００２】
従来より、各種電気機器の入力操作部等に用いられるシーソースイッチは、図４に示すように、２個のスイッチＰ３、Ｐ４が平面上に突設された基板Ｐ１と、１個の回転軸Ｐ１１を有するノブＰ２から構成されている。ノブＰ２は、スイッチングのために操作者に押圧操作されるものであり、ノブＰ２における基板Ｐ１側と反対側の面の両端には、操作者が押圧操作するための第１の操作部Ｐ８および第２の操作部Ｐ９が形成されている。また、ノブＰ２における基板Ｐ１側の面にはスイッチＰ３、Ｐ４に対応した押圧部Ｐ５、Ｐ６が形成されており、この押圧部Ｐ５、Ｐ６がスイッチＰ３、Ｐ４を押圧することによってスイッチング操作が行われる（例えば、特許文献１参照）。
【特許文献１】特開平９−１３９１５４号公報
【発明の開示】
【発明が解決しようとする課題】
【０００３】
近年、車両用空調装置の操作パネル等にシーソースイッチを設ける場合、操作パネルのデザインの多様性から、斜めの面にシーソースイッチを配置しなくてはならないことがある。しかしながら、上記特許文献１に記載のシーソースイッチをこのような面に配置した場合、図５に示すように、第１の操作部Ｐ８と回転軸Ｐ１１との距離Ｃと、第２の操作部Ｐ９と回転軸Ｐ１１との距離Ｄとが異なる。このため、操作者が第１の操作部Ｐ８を押圧する際のノブＰ２の押し角度α２と、第２の操作部Ｐ９を押圧する際のノブＰ２の押し角度β２とが異なり、操作感に違いが生じるという問題がある。
【０００４】
本発明は、上記点に鑑み、基板に対する垂線の長さが操作部によって異なるシーソースイッチにおいて、操作部を押したときの操作感を同等にすることを目的とする。
【課題を解決するための手段】
【０００５】
上記目的を達成するため、請求項１に記載の発明では、押圧されることにより電気信号を発信させる第１のスイッチ（３）および第２のスイッチ（４）が突設された基板（１）と、操作者によって押圧される第１の操作部（８）および第２の操作部（９）と、第１の回転軸（１１）および第２の回転軸（１２）とを有するノブ（２）とを備えており、ノブ（２）は、操作者が第１の操作部（８）を押圧した場合は、第１の回転軸（１１）を中心に回動して第１のスイッチ（３）を押圧し、操作者が第２の操作部（９）を押圧した場合は、第２の回転軸（１２）を中心に回動して第２のスイッチ（４）を押圧するようになっており、基板（１）に対する垂線の長さが、第１の操作部（８）と第２の操作部（９）とで異なるシーソースイッチであって、第１の回転軸（１１）および第２の回転軸（１２）は、第１の回転軸（１１）と第１の操作部（８）との距離と、第２の回転軸（１２）と第２の操作部（９）との距離とが等しくなるような部位にそれぞれ設けられていることを特徴としている。
【０００６】
このように、第１の回転軸（１１）および第２の回転軸（１２）を、第１の回転軸（１１）と第１の操作部（８）との距離と、第２の回転軸（１２）と第２の操作部（９）との距離とが同じになるような部位に設けることで、操作者が第１の操作部（８）および第２の操作部（９）を押圧したときのノブ（２）の回転半径が等しくなり、操作時の違和感を解消することができる。したがって、操作者が第１の操作部（８）および第２の操作部（９）を押圧した際の操作感を同等にすることが可能となる。
【０００７】
なお、上記各手段の括弧内の符号は、後述する実施形態に記載の具体的手段との対応関係を示すものである。
【発明を実施するための最良の形態】
【０００８】
以下、本発明の一実施形態について図１〜図３に基づいて説明する。本実施形態のシーソースイッチは、車両用空調装置の操作パネルの斜めになっている面に配置される。図１は、本実施形態に係るシーソースイッチを示す説明図である。図１に示すように、本実施形態のシーソースイッチは、基板１とノブ２とを備えている。
【０００９】
基板１の両端には、押圧されることによって電気信号が発信される第１のスイッチ３および第２のスイッチ４が設けられている。
【００１０】
ノブ２における基板１と対向する面には、第１のスイッチ３に対応した第１の押圧部４と、第２のスイッチ５に対応した第２の押圧部６が形成されている。ノブ２における押圧部５、６が設けられた面と反対側の面（以下、操作面７という）の両端には、第１の操作部８および第２の操作部９がそれぞれ設けられている。操作者が第１の操作部８を押圧することによって、第１の押圧部５が第１のスイッチ３を押圧し、第１のスイッチ３より電気信号が発信されるようになっている。また、操作者が第２の操作部９を押圧することによって、第２の押圧部６が第２のスイッチ４を押圧し、第２のスイッチ４より電気信号が発信されるようになっている。
【００１１】
また、第１の操作部８と第２の操作部９とで基板１に対する垂線の長さが異なる。すなわち、基板１に対して操作パネル１０は傾斜して設けられており、ノブ２の操作面７が操作パネル１０に対して平行になっているため、操作面７は基板１に対して所定角度をもって傾斜している。第１の操作部８は、基板１に対する垂線の長さが第２の操作部９より長くなっている。
【００１２】
ノブ２には、第１の回転軸１１および第２の回転軸１２が設けられている。ノブ２は、第１の回転軸１１もしくは第２の回転軸１２を中心として回動可能に構成されている。第１の回転軸１１および第２の回転軸１２は、基板１に対して垂直な同一直線上に配置されている。第１の回転軸１１および第２の回転軸１２は、第１の回転軸１１と第１の操作部８との距離Ａと、第２の回転軸１２と第２の操作部９との距離Ｂとが同じになるような位置に設けられている。第１の回転軸１１は第１の操作部８に対応し、第２の回転軸１２は第２の操作部９に対応している。また、操作者が第１の操作部８を押圧するときのノブ２の押し角度α１と、第２の操作部９を押圧するときのノブ２の押し角度β１とが等しくなるように、第１の回転軸１１は第２の回転軸１２より基板１から遠い位置に設けられている。
【００１３】
次に、本実施形態のシーソースイッチの作動について説明する。図２は本実施形態に係るシーソースイッチの第１の操作部８が押圧された状態を示す説明図で、図３は本実施形態に係るシーソースイッチの第２の操作部９が押圧された状態を示す説明図である。図２および図３中の矢印は、操作者が操作部８、９を押圧した際にノブ２が動く方向を示している。
【００１４】
操作者が第１の操作部８を押圧した場合、図２に示すように、ノブ２は第１の回転軸１１を中心に回動する。そして、第１の押圧部５により第１のスイッチ３が押圧され、第１のスイッチ３から電気信号が発信される。一方、操作者が第２の操作部９を押圧した場合、図３に示すように、ノブ２は第２の回転軸１２を中心に回動する。そして、第２の押圧部６により第２のスイッチ４が押圧され、第２のスイッチ４から電気信号が発信される。
【００１５】
以上説明したように、第１の回転軸１１と第１の操作部８との距離Ａと、第２の回転軸１２と第２の操作部９との距離Ｂとが等しくなっているため、操作者が操作部８、９を押圧したときのノブ２の回転半径が等しくなり、操作時の違和感を解消することができる。さらに、操作者が第１の操作部８を押圧するときのノブ２の押し角度α１と、第２の操作部９を押圧するときのノブ２の押し角度β１とが等しくなっているため、操作部８、９を押圧したときの操作感の差をなくすことができる。したがって、操作者が第１の操作部８および第２の操作部９を押圧した際の操作感を同等にすることが可能となる。
【００１６】
（他の実施形態）
上記実施形態において、第１の回転軸１１および第２の回転軸１２を、基板１に対して垂直な同一直線上に設けていたが、第１の回転軸１１と第１の操作部８との距離Ａと、第２の回転軸１２と第２の操作部９との距離Ｂとが等しくなる任意の位置にそれぞれ設けることができる。
【図面の簡単な説明】
【００１７】
【図１】本発明の実施形態に係るシーソースイッチを示す説明図である。
【図２】本発明の実施形態に係るシーソースイッチの第１の操作部８が押圧された状態を示す説明図である。
【図３】本発明の実施形態に係るシーソースイッチの第２の操作部９が押圧された状態を示す説明図である。
【図４】従来のシーソースイッチを示す説明図である。
【図５】従来のシーソースイッチを示す説明図である。
【符号の説明】
【００１８】
１…基板、２…ノブ、３…第１のスイッチ、４…第２のスイッチ、８…第１の操作部、９…第２の操作部、１１…第１の回転軸、１２…第２の回転軸。
【図１】
2006252987.tif 000003
【図２】
2006252987.tif 000004
【図３】
2006252987.tif 000005
【図４】
2006252987.tif 000006
【図５】
2006252987.tif 000007